(57)【要約】【課題】  小型で安価で、しかも広帯域で動作する無線受信回路を提供する。【解決手段】  本発明の無線受信回路は、受信信号の一部を取り出し受信信号と共に入力された干渉波の周波数が受信信号波の周波数に対して高いか低いかによって、局部発振周波数として受信信号波の周波数よりも低いあるいは高いか周波数を発振させる。受信信号と局部発振周波数を入力されたミキサが、不要波の周波数より低い周波数の中間周波信号波として周波数変換することを特徴とする。【選択図】図１
2010103594.tif 000002
【特許請求の範囲】
【請求項１】
一次中間周波数回路と、ミキサと、二次中間周波数回路と、局部発振器と、発振周波数制御回路とを備え、
前記発振周波数制御回路が前記一次中間周波数回路を伝播する一次中間周波信号の一部を取り出し、前記一次中間周波信号の一次信号波周波数に対する一次不要波周波数が高い／あるいは低いかにより、前記局部発振器から前記一次信号波周波数よりも低い／あるいは高い周波数の局部発振周波数を発振させ、前記ミキサが入力された前記一次中間周波信号と前記局部発振周波数を使って、二次不要波周波数より低い周波数の二次信号波として周波数変換することを特徴とする無線受信回路。
【請求項２】
前記発振周波数制御回路は帯域通過フィルタと、検波器と、制御回路とから構成され、前記帯域通過フィルタが、その中心通過周波数を前記一次信号波周波数から前記一次不要波周波数との周波数差分だけ、高い／あるいは低い周波数に偏らせ、前記検波器が前記帯域通過フィルタの出力から一次不要波のレベルを検出し、前記制御回路が前記一次信号波周波数に対する前記一次不要波周波数が高い／あるいは低いかに従って、前記局部発振器から前記一次信号波周波数よりも低い／あるいは高い周波数の局部発振周波数を発振させることを特徴とする請求項１に記載の無線受信回路。
【請求項３】
前記発振周波数制御回路は、周波数カウンタ回路と、制御回路とから構成され、前記周波数カウンタ回路が、前記一次信号波周波数と前記一次不要波周波数とをカウントし、２つの周波数の高低を判定し、前記制御回路が、前記周波数カウンタ回路の判定結果の前記一次信号波周波数に対する前記一次不要波周波数が高い／あるいは低いかにより、前記局部発振器から前記一次信号波周波数よりも低い／あるいは高い周波数の局部発振周波数を発振させることを特徴とする請求項１に記載の無線受信回路。
【請求項４】
前記局部発振器が、前記一次信号波周波数の周波数（ｆ）に対して前記一次信号波周波数と前記一次不要波周波数との周波数差分（△ｆ）の２倍低い／あるいは高い周波数の局部発振周波数（ｆ−２△ｆ又はｆ＋２△ｆ）を発振することを特徴とする請求項１乃至請求項３のいずれかに記載の無線受信回路。
【請求項５】
受信周波数回路と、ミキサと、中間周波数回路と、局部発振器と、発振周波数制御回路とを備え、
前記発振周波数制御回路が、前記受信周波数回路を伝播する受信周波信号の一部を取り出し、前記受信周波信号の信号波周波数に対する干渉波周波数が高い／あるいは低いかにより、前記局部発振器から前記信号波周波数よりも低い／あるいは高い周波数の局部発振周波数を発振させ、前記ミキサが、入力された前記受信周波信号と前記局部発振周波数を使って、不要波周波数より低い周波数の中間信号波として周波数変換することを特徴とする無線受信回路。
【請求項６】
前記発振周波数制御回路は、帯域通過フィルタと、検波器と、制御回路とから構成され、前記帯域通過フィルタが、その中心通過周波数を前記受信信号波周波数から前記干渉波周波数との周波数差分だけ、高い／あるいは低い周波数に偏らせ、前記検波器が、前記帯域通過フィルタの出力から干渉波のレベルを検出し、前記制御回路が、前記受信信号波周波数に対する前記干渉波周波数が高い／あるいは低いかに従って、前記局部発振器から前記受信信号波周波数よりも低い／あるいは高い周波数の局部発振周波数を発振させることを特徴とする請求項５に記載の無線受信回路。
【請求項７】
前記発振周波数制御回路は、周波数カウンタ回路と、制御回路とから構成され、
前記周波数カウンタ回路が、前記受信信号波周波数と前記干渉波周波数とをカウントし、２つの周波数の高低を判定し、前記制御回路が、前記周波数カウンタ回路の判定結果の前記受信信号波周波数に対する前記干渉波周波数が高い／あるいは低いかにより、前記局部発振器から前記受信信号波周波数よりも低い／あるいは高い周波数の局部発振周波数を発振させることを特徴とする請求項５に記載の無線受信回路。
【請求項８】
前記局部発振器が、前記受信信号波周波数（ｆ）に対して前記受信信号波周波数と前記干渉波周波数との周波数差分（△ｆ）の２倍低い／あるいは高い周波数の局部発振周波数（ｆ−２△ｆ又はｆ＋２△ｆ）を発振することを特徴とする請求項５乃至請求項７のいずれかに記載の無線受信回路。
【請求項９】
受信した受信信号の一部を取り出し、受信信号波周波数と干渉波周波数との周波数の高低を比較し、前記受信信号波周波数に対する前記干渉波周波数の高低により前記受信信号波周波数よりも低い又は高い周波数の局部発振周波数を発生させ、前記受信信号と前記局部発振周波数を使って周波数変換し、不要波周波数より低い周波数の中間信号波として周波数変換することを特徴とする無線受信方法。
【請求項１０】
前記局部発振周波数が、前記受信信号波の周波数（ｆ）に対して前記受信信号波と前記干渉波との周波数差分（△ｆ）の２倍低い／あるいは高い周波数（ｆ−２△ｆ又はｆ＋２△ｆ）であることを特徴とする請求項９に記載の無線受信方法。
【発明の詳細な説明】
【技術分野】
【０００１】
本発明は、無線受信回路に係り、特に干渉波の影響をなくし、良好な受信特性を備えた無線受信回路に関する。
【背景技術】
【０００２】
無線受信回路には、受信信号波に対する干渉波の影響を除去し、良好な受信特性を備えることが望まれる。特に受信信号波の周波数と干渉波の周波数が隣接している場合には、良好な受信特性が得られにくいという問題がある。例えば特許文献１には、隣接局の妨害となり得る周波数からの影響を防ぎ、受信品質を向上させるＦＭラジオ受信機が開示されている。特許文献１のＦＭラジオ受信機は、帯域通過フィルタとして広帯域通過フィルタと狭帯域通過フィルタとを備え、通常は広帯域通過フィルタを使用した広帯域のＦＭラジオ受信機としている。しかし、隣接局の隣接周波数による妨害発生の可能性ありと判断した場合には、狭帯域通過フィルタを選択している。ＦＭラジオ受信機は、広帯域の受信機が望まれ、通常は広帯域通過フィルタを選択した広帯域の受信機としている。しかし、隣接周波数による妨害発生の場合には狭帯域通過フィルタに切り替え、使用している。
【０００３】
【特許文献１】特開２００７−１３６５３号公報
【発明の開示】
【発明が解決しようとする課題】
【０００４】
上記したように、受信信号波の周波数と干渉波の周波数が隣接している場合には、狭帯域通過フィルタが使用される。しかし、狭帯域通過フィルタは、その構成を多段構成する必要があり、回路規模が大型になるという問題がある。さらに、狭帯域通過フィルタを使用すると受信回路自体の帯域幅が狭くなり、広帯域に対応できないという問題がある。
【０００５】
例えば、高周波の無線受信回路の構成例を図７、８に示す。図７の無線受信回路における受信信号は入力端子１０１から入力され、伝播経路の増幅器等で増幅され、ミキサで周波数変換され、出力端子１０２から次段へ出力される。その伝播経路には、ＲＦＢＰＦ（Radio Frequency Band Pass Filter：高周波帯域通過フィルタ）１、ＬＮＡ（Low Noise Amp：低ノイズ増幅器）２、ＡＴＴ（Attenuator：可変抵抗減衰器）３、ミキサ４、ＬＮＡ６、ＡＴＴ７、ＢＰＦ（Band Pass Filter：帯域通過フィルタ）８、ミキサ９、ＢＰＦ１１、ＡＭＰ１２、ＢＰＦ１３が設けられている。さらにミキサ４には受信信号と局部発振器であるＶＣＯ（Voltage Controlled Oscillator：電圧制御発振器）５からの局部発振周波数とが入力され、一次中間周波信号として周波数変換する。ミキサ９には一次中間周波信号と局部発振器であるＶＣＯ１０からの局部発振周波数が入力され、二次中間周波信号として周波数変換する。
【０００６】
次に、図７の無線受信回路の動作について説明する。ここで各信号の周波数は、例えば下記の周波数とする。入力される受信信号ＲＸＲＦの信号波周波数は６５００ＭＨｚ、ＶＣＯ５の局部発振周波数ＲＸＲＦＬＯは５５００ＭＨｚ、一次中間周波信号の信号波周波数は１０００ＭＨｚ、ＶＣＯ１０の局部発振周波数ＲＸＩＦＬＯは１１４０ＭＨｚ又は８６０ＭＨｚ、二次中間周波信号の信号波周波数は１４０ＭＨｚとする。受信信号ＲＸＲＦが入力端子１０１から入力される際に、６５００ＭＨｚの信号波と、同時に６５７０ＭＨｚの干渉波が入ったとする。この場合、ミキサ４においてＶＣＯ５からの局部発振周波数ＲＸＲＦＬＯ５５００ＭＨｚにより一次中間周波信号ＲＸ１ｓｔＩＦの一次信号波１０００ＭＨｚと、一次不要波１０７０ＭＨｚに変換される。さらに、ミキサ９において、ＶＣＯ１０からの局部発振周波数ＲＸＩＦＬＯが１１４０ＭＨｚの場合には、二次中間周波信号ＲＸ２ｎｄＩＦの二次信号波１４０ＭＨｚと二次不要波７０ＭＨｚに変換される。
【０００７】
受信信号には、周波数６５００ＭＨｚの受信信号波と周波数６５７０ＭＨｚの干渉波が含まれる。一次中間周波信号には、周波数１０００ＭＨｚの一次中間信号波と周波数１０７０ＭＨｚの一次不要波（干渉波）が含まれる。二次中間周波信号には、周波数１４０ＭＨｚの二次中間信号波と周波数７０ＭＨｚの二次不要波（干渉波）が含まれる。このように、それぞれの信号には、信号としての信号波周波数と、雑音である干渉波（不要波）周波数が含まれる。また雑音である干渉波は、受信した周波数の場合は干渉波と記載し、中間周波数に変換された場合には不要波と記載するが、干渉波と不要波の総称として干渉波と記載することがある。
【０００８】
さらにミキサ９は、二次不要波７０ＭＨｚの２倍波として１４０ＭＨｚの周波数波を出力する。従って、周波数１４０ＭＨｚの波形成分には、正規の信号波である周波数１４０ＭＨｚと不要波７０ＭＨｚの２倍波である周波数１４０ＭＨｚが混在することになる。そのためＢＰＦ１１、１３により、信号波と不要波の２倍波の両方を含む周波数１４０ＭＨｚのなかから不要波の２倍波分のみを減衰させることはできない。
【０００９】
この不要波７０ＭＨｚの２倍波のレベルを下げるには、ミキサ９への不要波入力レベルを下げる必要がある。そのためには、ＲＦＢＰＦ１及びＢＰＦ８で干渉波（又は不要波）の周波数帯域を減衰させることになる。ＲＦＢＰＦ１で７０ＭＨｚを減衰させるのは、周波数が６５００ＭＨｚと６５７０ＭＨｚのうちで、６５７０ＭＨｚを減衰させる必要がある。しかし両者の周波数の差は１％強であり、周波数が近すぎて６５７０ＭＨｚを減衰させるのは困難であるため現実的にはＢＰＦ８で減衰させることになる。しかしＢＰＦ８でも、一次中間周波信号ＲＸ１ｓｔＩＦの信号波周波数１０００ＭＨｚと不要波周波数１０７０ＭＨｚであり、その差は７％と非常に近い周波数である。ＢＰＦ８においても、その周波数の７０ＭＨｚ離れも非常に近いため減衰させるにはＢＰＦを多段で構成する必要があり、ＢＰＦが大型で高価なものになる。
【００１０】
このように同じ周波数に、信号波と不要波の２倍波が混在する場合には、その前段、受信段において不要波を減衰させる必要がある。しかし前段や、受信段では周波数が高周波であり、この高周波において信号波と周波数差が少ない不要波を減衰させることは、非常に困難である。さらに減衰させるためには、狭帯域のＢＰＦを多段で構成する必要かあり、ＢＰＦが大型で高価なものになるという問題がある。
【００１１】
次に、図８に示す無線受信回路の構成と動作について説明する。受信信号ＲＸＲＦは入力端子１０１から入力され、伝播経路で増幅や、周波数変換され、出力端子１０２から次段へ出力される。その伝播経路には、ＲＦＢＰＦ１、ＬＮＡ２、ＡＴＴ３、ミキサ４、ＬＮＡ６、ＡＴＴ７、ＢＰＦ８、ＢＰＦ１３が設けられている。さらにミキサ４には受信信号と局部発振器であるＶＣＯ５からの発振周波数が入力され、中間周波信号へ周波数変換する。
【００１２】
ここで入力される受信信号ＲＸＲＦの信号波は６５００ＭＨｚ、同時に受信された干渉波は６５７０ＭＨｚとする。ＶＣＯ５の局部発振周波数ＲＸＲＦＬＯは６３６０ＭＨｚであり、ミキサ４で中間周波数としての信号波１４０ＭＨｚに変換する。この場合には、ＲＦＢＰＦ１を使って干渉波を減衰させるしか方法がない。しかし、上記したように信号波と干渉波との周波数が近すぎるためＲＦＢＰＦ１は狭帯域のＢＰＦとなり、大型で高価になる。さらに無線受信回路の初段部分のＲＦＢＰＦ１の帯域が狭く、この回路構成で他回路が広帯域に実現出来ても、ＲＦＢＰＦ１の狭帯域内でしか使用出来ないことから、全体としては狭帯域な受信回路となってしまう。
【００１３】
このように高周波帯域の信号波周波数に隣接した周波数の干渉波を、ＢＰＦを使って減衰させる場合には、狭帯域のＢＰＦが必要となる。狭帯域のＢＰＦは多段構成とする必要があり、大型で高価になるという課題がある。さらに初段のＢＰＦを狭帯域通過フィルタとした場合には、受信回路自体が狭帯域になるという課題がある。
【００１４】
本発明の目的は、上述した課題を解決するためになされたものであり、信号波周波数と隣接した周波数の干渉波が入力されても、広帯域で良好な受信特性を備えた無線受信回路を提供することにある。
【課題を解決するための手段】
【００１５】
本発明の無線受信回路は、一次中間周波数回路と、ミキサと、二次中間周波数回路と、局部発振器と、発振周波数制御回路とを備え、前記発振周波数制御回路が、前記一次中間周波数回路を伝播する一次中間周波信号の一部を取り出し、前記一次中間周波信号の一次信号波周波数に対する一次不要波周波数が高い／あるいは低いかにより、前記局部発振器から前記一次信号波周波数よりも低い／あるいは高い周波数の局部発振周波数を発振させ、
前記ミキサが、入力された前記一次中間周波信号と前記局部発振周波数を使って、二次不要波周波数より低い周波数の二次信号波として周波数変換することを特徴とする。
【００１６】
本発明の他の無線受信回路は、受信周波数回路と、ミキサと、中間周波数回路と、局部発振器と、発振周波数制御回路とを備え、前記発振周波数制御回路が、前記受信周波数回路を伝播する受信周波信号の一部を取り出し、前記受信周波信号の信号波周波数に対する干渉波周波数が高い／あるいは低いかにより、前記局部発振器から前記信号波周波数よりも低い／あるいは高い周波数の局部発振周波数を発振させ、前記ミキサが、入力された前記受信周波信号と前記局部発振周波数を使って、不要波周波数より低い周波数の中間信号波として周波数変換することを特徴とする。
【００１７】
本発明の無線受信方法は、受信した受信信号の一部を取り出し、受信信号波周波数と干渉波周波数との高低を比較し、前記受信信号波周波数に対する前記干渉波周波数の高低により前記受信信号波周波数よりも低い又は高い周波数の局部発振周波数を発生させ、前記受信信号と前記局部発振周波数を使って周波数変換し、不要波周波数より低い周波数の中間信号波として周波数変換することを特徴とする。
【発明の効果】
【００１８】
本発明によれば、信号波と干渉波の周波数の高低により、局部発振周波数を選択し、ミキサにより不要波の周波数より低い周波数の信号波として周波数変換する。信号波の周波数が不要波の周波数より低く、信号波は不要波の２倍波を含まないことから、中間周波において不要波を減衰することができる。そのため帯域通過フィルタの構成が簡単にでき、広帯域で良好な受信特性を備えた無線受信回路が得られる。
【発明を実施するための最良の形態】
【００１９】
以下、図面を参照して本発明の実施形態について、詳細に説明する。
【実施例１】
【００２０】
実施例１を図１〜５を参照して説明する。図１には、本発明の無線受信回路の構成図を示す。図２には、そのレベルダイヤを示す。図３、４に本発明の無線受信回路のＢＰＦ（Band Pass Filter：帯域通過フィルタ）の回路例と、その特性を示す。図５には本発明の無線受信回路のＤＥＴ（Detector：検出器）の特性を示す。
【００２１】
図１の無線受信回路の構成図においては、受信信号ＲＸＲＦは入力端子１０１から入力され、受信周波数回路を伝播し、第１のミキサ４で、一次中間周波信号に変換される。一次中間周波信号ＲＸ１ｓｔＩＦは一次中間周波数回路を伝播し、第２のミキサ９で二次中間周波信号に変換される。その二次中間周波信号ＲＸ２ｎｄＩＦは二次中間周波数回路を伝播し、出力端子１０２から次段へ出力される。
【００２２】
受信周波数回路は、ＲＦＢＰＦ１、ＬＮＡ（Low Noise Amp：低ノイズ増幅器）２、ＡＴＴ（Attenuator：可変抵抗減衰器）３から構成されている。入力端子１０１に受信した受信信号ＲＸＲＦを、ＲＦＢＰＦ１、ＬＮＡ２、ＡＴＴ３を経由してミキサ４に出力する。ミキサ４には、局部発振器であるＶＣＯ（Voltage Controlled Oscillator：電圧制御発振器）５からの発振周波数と、受信信号ＲＸＲＦとが入力され、一次中間周波信号として周波数変換する。
【００２３】
一次中間周波数回路は、ＬＮＡ６、ＡＴＴ７、ＢＰＦ８から構成されている。ミキサ４からの一次中間周波信号ＲＸ１ｓｔＩＦを、ＬＮＡ６、ＡＴＴ７、ＢＰＦ８を経由してミキサ９に出力する。また、ＬＮＡ６からの一次中間周波信号の一部を、ＢＰＦ１４、ＤＥＴ（Detector：検波器）１５、制御回路（ＣＯＮＴ回路）１６からなる局部発振周波数制御回路１８に取り出し、ＶＣＯ１０の発振周波数を制御する。局部発振周波数制御回路１８は、一次中間周波信号ＲＸ１ｓｔＩＦの一部を取り出し、ＢＰＦ１４を通過した信号をＤＥＴ１５にて検波する。ＣＯＮＴ回路１６は、ＤＥＴ１５からの入力電圧によりＶＣＯ１０の発振周波数を選択する。ミキサ９は、ＶＣＯ１０の発振周波数と一次中間周波信号とを入力され、二次中間周波信号ＲＸ２ｎｄＩＦに変換する。その二次中間周波信号ＲＸ２ｎｄＩＦは、ＢＰＦ１１、ＡＭＰ１２、ＢＰＦ１３から構成された二次中間周波数回路を伝播し、出力端子１０２から次段へ出力される。
【００２４】
次に、本実施例の動作について説明する。ここでの各信号の周波数は、例えば下記の周波数とする。入力される受信信号ＲＸＲＦの信号波周波数は６５００ＭＨｚ、ＶＣＯ５の局部発振周波数ＲＸＲＦＬＯは５５００ＭＨｚ、一次中間周波信号ＲＸ１ｓｔＩＦの信号波周波数は１０００ＭＨｚ、ＶＣＯ１０の局部発振周波数ＲＸＩＦＬＯは１１４０ＭＨｚ又は８６０ＭＨｚ、二次中間周波信号ＲＸ２ｎｄＩＦの信号波周波数は１４０ＭＨｚとする。
【００２５】
受信信号ＲＸＲＦの周波数６５００ＭＨｚの信号波が入力端子１０１から入力される際に、同時に周波数６５７０ＭＨｚの干渉波が混入される。受信信号波と干渉波は、ミキサ４においてＶＣＯ５からの局部発振周波数ＲＸＲＦＬＯにより一次中間周波信号ＲＸ１ｓｔＩＦの信号波１０００ＭＨｚと不要波１０７０ＭＨｚに変換される。最初に、ＢＰＦ１４、ＤＥＴ１５、ＣＯＮＴ回路１６からなる局部発振周波数制御回路１８がなく、一次中間周波信号の一部が局部発振周波数制御回路に取り出されない場合を考える。一次中間周波信号は、ミキサ９において、ＶＣＯ１０からの局部発振周波数ＲＸＩＦＬＯの１１４０ＭＨｚにより二次中間周波信号ＲＸ２ｎｄＩＦの信号波１４０ＭＨｚと不要波７０ＭＨｚに変換される。
【００２６】
またミキサ９は、不要波７０ＭＨｚの２倍波として１４０ＭＨｚも出力する。この時に、二次中間周波信号ＲＸ２ｎｄＩＦの信号波１４０ＭＨｚと不要波の２倍波１４０ＭＨｚとで所望のＤ／Ｕ（Desired to Undesired signal ratio:希望波と干渉波強度比）が確保出来ていないと、通信エラーとなる。干渉波が例えば３５ＭＨｚ離れでも、ミキサ９が４倍波を出力するが、不要波の次数が２倍の時の不要波レベルが一番高いため、ＲＸ２ｎｄＩＦ／２＝７０ＭＨｚ離れの干渉波が最も厳しいことになる。
【００２７】
この時のレベルダイヤを図２に示す。ＥＴＳＩ規格（European telecommunication Standard Institute：欧州規格）では、ＢＥＲ(Bit Error Rate)＝１０ｅ−６のポイントから３０ｄＢ高いＣＷ（continuous wave）信号を干渉波として入力した時にノーエラーである必要がある。本例の周波数での１０ｅ−６点は受信信号ＲＸＲＦの受信信号波が−６６ｄＢｍで、干渉波入力レベルは−３６ｄＢｍである。上記の所望Ｄ／ＵはＤＥＭ（Demodulator：復調器）の特性にもよるが、ここでは３０ｄＢが必要として説明する。
【００２８】
受信回路の利得（Ｇａｉｎ）が３５ｄＢに固定されているとする。受信信号波に−６６ｄＢｍが入力された時、干渉波は−３６ｄＢｍの入力となる。ミキサ９で発生する不要波の２倍波である１４０ＭＨｚはミキサ９のＩＩＰ２（second-order Input Intercept Point：２次入力インタセプトポイント）＝＋３５ｄＢｍとすると、−６５ｄＢｍとなる。この時の受信信号波のレベルは−４９ｄＢｍであるためＤ／Ｕ＝１６ｄＢとなり上記所望のＤ／Ｕを確保出来ないため通信エラーになる。
【００２９】
次に本発明の局部発振周波数制御回路１８を使った無線受信回路について説明する。局部発振周波数制御回路１８は、一次中間周波信号ＲＸ１ｓｔＩＦの一部（ここではＬＮＡ６の出力）を取り出す。局部発振周波数制御回路１８は、その信号内の不要波周波数が一次中間周波信号ＲＸ１ｓｔＩＦの信号波周波数に対して、高い方にあるのか低い方にあるのかを判断しＶＣＯ１０の局部発振周波数ＲＸＩＦＬＯの発振周波数を選択する。例えば図２のレベルダイヤの一次中間周波数回路のＬＮＡ６出力を１０ｄＢカップラーで取り出したとすると、ＢＰＦ１４の入力での一次中間周波信号ＲＸ１ｓｔＩＦの不要波が−１５ｄＢｍ、信号波が−４５ｄＢｍとなる。また図２は、局部発振周波数制御回路が無い場合のレベルダイヤであり、局部発振周波数制御回路に取り出した場合のレベルは図示されていない。
【００３０】
ＢＰＦ１４が、例えば図３に示すような容量（Ｃ１、Ｃ２、Ｃ３）とインダクタ（Ｌ１、Ｌ２、Ｌ３）からなる３段構成のＢＰＦであり、その特性が図４に示すような中心通過周波数ｆｏ＝１０７０ＭＨｚの特性とする。ここでのＢＰＦ１４の中心通過周波数は、一次中間周波信号ＲＸ１ｓｔＩＦの信号波周波数１０００ＭＨｚではなく、受信された信号波と干渉波の周波数差分だけずらしている。例えば、一次不要波の周波数１０７０ＭＨｚ側にずらしている。この場合図５に示す特性のＤＥＴ１５には、１０７０ＭＨｚの不要波−１７ｄＢｍが入力され、ＤＥＴ１５から約２．３Ｖ出力される。ＣＯＮＴ回路１６は、ＤＥＴ１５からの入力電圧が例えば１Ｖ以上の場合に局部発振周波数ＲＸＩＦＬＯを８６０ＭＨｚとするように制御しておく。一次中間周波信号の不要波周波数が信号波周波数に対して高い場合には、信号波周波数に対して低い発振周波数を選択する。
【００３１】
こうすることで、二次中間周波信号ＲＸ２ｎｄＩＦの信号波周波数が１４０ＭＨｚとして出力された時に、二次不要波は２１０ＭＨｚとして出力される。二次不要波周波数が二次中間周波信号ＲＸ２ｎｄＩＦの信号波周波数１４０ＭＨｚより高いことから、二次不要波及びその２倍波は二次中間周波信号ＲＸ２ｎｄＩＦである周波数１４０ＭＨｚには含まれない。従って二次中間周波信号ＲＸ２ｎｄＩＦの信号波周波数１４０ＭＨｚ、不要波周波数２１０ＭＨｚとして、ＢＰＦ１１及びＢＰＦ１３を使って不要波を減衰させることが出来る。例えばＢＰＦ１１及びＢＰＦ１３の中心通過周波数ｆｏ＝１４０ＭＨｚの特性とすると、不要波の２１０ＭＨｚは中心通過周波数から５０％離れていることから不要波の２１０ＭＨｚは減衰され通信に影響が出ない。ＢＰＦの設計も、中心通過周波数から５０％離れている帯域を減衰させる場合には単純な構成とすることができ、安価なＢＰＦとすることができる。
【００３２】
受信信号ＲＸＲＦが入力端子１０１から入力される際に同時に入力された干渉波が６４３０ＭＨｚだった場合は、一次中間周波信号ＲＸ１ｓｔＩＦの信号波１０００ＭＨｚと、同時に一次不要波９３０ＭＨｚに変換される。一次不要波９３０ＭＨｚは、中心通過周波数ｆｏ＝１０７０ＭＨｚのＢＰＦ１４により−３０ｄＢｍ減衰し、−４５ｄＢｍまで減衰する。そのためにＤＥＴ１５では、検波されず、局部発振周波数ＲＸＩＦＬＯは１１４０ＭＨｚのままとなる。このように一次中間周波信号の不要波周波数が信号波周波数に対して低い場合には、信号波周波数に対して高い発振周波数を選択する。ミキサ９からは、二次中間周波信号ＲＸ２ｎｄＩＦの信号波周波数１４０ＭＨｚと、二次不要波周波数２１０ＭＨｚが出力される。不要波周波数２１０ＭＨｚはＢＰＦ１１及びＢＰＦ１３を使って減衰される。干渉波が６４３０ＭＨｚの場合も、干渉波が６５７０ＭＨｚの場合と同様に不要波２１０ＭＨｚは減衰され通信には影響が出ない。
【００３３】
干渉波が入力されてない状態では、一次中間周波信号ＲＸ１ｓｔＩＦの信号波１０００ＭＨｚだけが、ＢＰＦ１４で減衰され、−５８ｄＢｍとなる。ＤＥＴ１５では、入力レベルが−５８ｄＢｍのため、検波されない。そのためＲＸＩＦＬＯは、１１４０ＭＨｚとなり、ミキサ９からは二次中間周波信号ＲＸ２ｎｄＩＦの信号波１４０ＭＨｚが出力されることで、良好な受信特性を備えた無線受信回路が構成できる。
【００３４】
また、上記説明ではＢＰＦ１４として、中心通過周波数ｆｏ＝１０７０ＭＨｚのＢＰＦを用いた。しかし、一次中間周波信号ＲＸ１ｓｔＩＦの信号波１０００ＭＨｚよりも低い中心通過周波数ｆｏ＝９３０ＭＨｚの特性のＢＰＦとすることもできる。この場合にはＤＥＴの出力がある場合に局部発振周波数ＲＸＩＦＬＯは１１４０ＭＨｚ、ＤＥＴの出力がない場合に局部発振周波数ＲＸＩＦＬＯは８６０ＭＨｚとなるように設定する。例えば一次不要波が１０７０ＭＨｚの場合には、中心通過周波数ｆｏ＝９３０ＭＨｚのＢＰＦ１４により、１０７０ＭＨｚの不要波は減衰される。ＤＥＴ１５では検波できないことから、局部発振周波数ＲＸＩＦＬＯとして８６０ＭＨｚが出力される。
【００３５】
一次不要波が９３０ＭＨｚの場合には、ＤＥＴ１５に入力され、検波される。このとき局部発振周波数ＲＸＩＦＬＯとして１１４０ＭＨｚが出力される。ミキサ９からは、二次中間周波信号ＲＸ２ｎｄＩＦの信号波１４０ＭＨｚと、不要波２１０ＭＨｚが出力され、ＢＰＦ１１及びＢＰＦ１３により不要波の２１０ＭＨｚは減衰され通信には影響が出ないことになる。このように、ＢＰＦ１４として中心通過周波数ｆｏ＝９３０ＭＨｚ、あるいは中心通過周波数ｆｏ＝１０７０ＭＨｚの場合にも、不要波を減衰できる。このように良好な受信特性を備えた無線受信回路が構成できる。
【００３６】
このように、受信信号と周波数差△ｆの干渉波が入力された場合には、一次中間周波信号の周波数は信号波周波数（ｆ）、一次不要波周波数（ｆ＋△ｆ又はｆ―△ｆ）となる。局部発振周波数制御回路は、この一次中間周波信号の一部を取り込み、その信号波周波数（ｆ）から周波数△ｆだけずれた中心周波数周波（ｆ０＝ｆ＋△ｆ又はｆ―△ｆ）を有するどちらかのＢＰＦで減衰させる。このとき一次中間周波信号の信号波周波数に対する一次不要波の周波数が高い／あるいは低いかに従って、局部発振器から一次中間周波信号の信号波周波数よりも低い／あるいは高い周波数（ｆ−２△ｆ又はｆ＋２△ｆ）の局部発振周波数を発振させる。この局部発振周波数は（ｆ−２△ｆ又はｆ＋２△ｆ）であり、一次中間周波信号の周波数よりも、受信信号と干渉波との周波数差△ｆの２倍の周波数差を有する。
【００３７】
ミキサ９が、一次中間周波信号と局部発振周波数を使って周波数変換を行う。このとき△ｆが７０ＭＨｚの場合には、二次中間周波信号の信号波周波数は１４０Ｍｈｚとなり、二次不要波周波数は２１０Ｍとなる。このように二次中間周波信号の信号波周波数は１４０Ｍｈｚであり、二次不要波の２倍波を含まない周波数として周波数変換することができる。ＢＰＦ１３の特性を中心通過周波数ｆｏ＝１４０ＭＨｚとすると、不要波の２１０ＭＨｚは中心通過周波数から５０％以上離れていることから不要波の２１０ＭＨｚは簡単に減衰させることができる。
【００３８】
このように、本実施例の無線受信回路は、一次中間周波数回路と、ミキサと、二次中間周波数回路と、局部発振器と、発振周波数制御回路とを備える。発振周波数制御回路が、一次中間周波数回路を伝播する一次中間周波信号の一部を取り出し、一次中間周波信号の信号波周波数と一次不要波周波数との高低を判定する。一次中間周波信号の信号波周波数に対する一次不要波周波数が高い／あるいは低いかに従って、局部発振器が一次中間周波信号の信号波周波数よりも低い／あるいは高い周波数の局部発振周波数を発振させる。ミキサが、一次中間周波信号と局部発振周波数を使って、二次不要波の周波数より低い周波数の二次中間周波信号の信号波周波数として周波数変換する。この構成とすることで簡単な構成のＢＰＦを使用でき、良好な受信特性を備えた広帯域な無線受信回路が得られる。
【実施例２】
【００３９】
実施例２を、図６を参照して説明する。図６に、実施例２の無線受信回路の構成図を示す。実施例２の無線受信回路は、実施例１と比較して局部発振周波数制御回路の構成を変更した実施例である。図６においては、図１に示す実施例１における構成図と同じ構成素子は同じ符号とし、その説明は省略する。
【００４０】
図６に示す局部発振周波数制御回路１８は周波数カウンタ回路１７、ＣＯＮＴ回路１６から構成される。局部発振周波数制御回路１８は、一次中間周波信号の一部をＬＮＡ６から取り出し、ＶＣＯ１０の発振周波数を制御する。周波数カウンタ回路１７は、取り出した一次中間周波信号ＲＸ１ｓｔＩＦの周波数を計数する。ＣＯＮＴ回路１６は、周波数カウンタ回路１７で計数された周波数によりＶＣＯ１０の発振周波数を選択する。ＶＣＯ１０の発振周波数と一次中間周波信号とがミキサ９に入力され、ミキサ９は二次中間周波数の二次中間周波信号に変換する。その二次中間周波信号ＲＸ２ｎｄＩＦは、ＢＰＦ１１、ＡＭＰ１２、ＢＰＦ１３から構成された二次中間周波数回路を伝播し、出力端子１０２から次段へ出力される。
【００４１】
本実施例の動作について説明する。局部発振周波数制御回路１８の周波数カウンタ回路１７は、一次中間周波信号ＲＸ１ｓｔＩＦの一次信号波周波数と、一次不要波周波数とを計数し、その計数値をＣＯＮＴ回路１６に送る。ＣＯＮＴ回路１６は、周波数カウンタ回路からの周波数の計数値の高低によりＶＣＯ１０の局部発振周波数ＲＸＩＦＬＯの周波数を選択する。
【００４２】
実施例１と同様に、受信信号波周波数と周波数差△ｆの干渉波が入力された場合には、一次中間周波信号の一次信号波周波数（ｆ）、一次不要波周波数（ｆ＋△ｆ又はｆ−△ｆ）となる。周波数カウンタ回路１７からの一次信号波周波数と一次不要波周波数の計数結果が制御回路１６に入力される。制御回路１６は、一次信号波周波数に対して一次不要波周波数が高い／あるいは低いかに従って、局部発振器から一次信号波周波数（ｆ）よりも低い／あるいは高い周波数（ｆ−２△ｆ又はｆ＋２△ｆ）の局部発振周波数を発振させる。このように局部発振周波数は（ｆ−２△ｆ又はｆ＋２△ｆ）であり、一次一次信号波周波数（ｆ）よりも、受信信号と干渉波との周波数差△ｆの２倍の周波数差を有する。この局部発振周波数を発振させることで、ミキサ９が、一次中間周波信号と局部発振周波数を使って二次中間周波信号として、周波数変換を行う。
【００４３】
実施例２においても、実施例１と同じ周波数の信号であるとする。受信信号波と干渉波の周波数差（△ｆ）が７０ＭＨｚとすれば、二次信号波周波数は１４０Ｍｈｚ、二次不要波信号は２１０Ｍとなる。このように二次信号波周波数は１４０Ｍｈｚであり、二次不要波信号は２１０Ｍとなり、二次不要波の２倍波の周波数を含まない二次信号波として周波数変換することができる。ＢＰＦ１１、１３の特性を中心通過周波数ｆｏ＝１４０ＭＨｚとすると、不要波の２１０ＭＨｚは中心通過周波数から５０％離れていることから不要波の２１０ＭＨｚは簡単に減衰させることができる。そのため本実施例においても実施例１と同様に、簡単な構成のＢＰＦを使用でき、良好な受信特性を備えた広帯域な無線受信回路が得られる。
【００４４】
上述した実施例１、２においては、受信信号から一次中間周波信号に周波数変換し、その一次中間周波信号を使った発振周波数制御回路が、局部発振器の局部発振周波数を制御する構成である。しかし受信信号の周波数によっては、例えば図１において受信信号をＬＳＡ６に入力させ、受信信号を直接使った発振周波数制御回路が、局部発振器の局部発振周波数を制御する構成とすることができる。この場合は、受信信号波と干渉波の周波数差（△ｆ）とすれば、受信信号波周波数に対する干渉波周波数の高い／あるいは低いかに従って、局部発振器から受信信号波周波数（ｆ）よりも低い／あるいは高い周波数（ｆ−２△ｆ又はｆ＋２△ｆ）の局部発振周波数を発振させることで構成できる。
【００４５】
上述したように、本発明によれば、一次中間周波数回路と、ミキサと、二次中間周波数回路と、局部発振器と、発振周波数制御回路とを備え、発振周波数制御回路が一次中間周波数回路を伝播する一次中間周波信号の一部を取り出し、一次中間周波信号の一次信号波周波数に対する一次不要波周波数が高い／あるいは低いかにより、局部発振器から一次信号波周波数よりも低い／あるいは高い周波数の局部発振周波数を発振させ、ミキサが入力された一次中間周波信号と局部発振周波数を使って、二次不要波周波数より低い周波数の二次信号波として周波数変換する無線受信回路が得られる。
【００４６】
本発明における発振周波数制御回路は、帯域通過フィルタと、検波器と、制御回路とから構成され、帯域通過フィルタがその中心通過周波数を一次信号波周波数から一次不要波周波数との周波数差分だけ、高い／あるいは低い周波数に偏らせ、検波器が帯域通過フィルタの出力から一次不要波のレベルを検出し、制御回路が一次信号波周波数に対する一次不要波周波数が高い／あるいは低いかに従って、局部発振器から一次信号波周波数よりも低い／あるいは高い周波数の局部発振周波数を発振させることができる。
【００４７】
また本発明における発振周波数制御回路は、周波数カウンタ回路と、制御回路とから構成され、周波数カウンタ回路が一次信号波周波数と一次不要波周波数とをカウントし、２つの周波数の高低を判定し、制御回路が周波数カウンタ回路の判定結果の一次信号波周波数に対する一次不要波周波数が高い／あるいは低いかにより、局部発振器から一次信号波周波数よりも低い／あるいは高い周波数の局部発振周波数を発振させることができる。
【００４８】
さらに本発明における局部発振器が、一次信号波周波数の周波数（ｆ）に対して一次信号波周波数と一次不要波周波数との周波数差分（△ｆ）の２倍低い／あるいは高い周波数の局部発振周波数（ｆ−２△ｆ又はｆ＋２△ｆ）を発振することができる。
【００４９】
本発明によれば、受信周波数回路と、ミキサと、中間周波数回路と、局部発振器と、発振周波数制御回路とを備え、発振周波数制御回路が受信周波数回路を伝播する受信周波信号の一部を取り出し、受信周波信号の信号波周波数に対する干渉波周波数が高い／あるいは低いかにより、局部発振器から信号波周波数よりも低い／あるいは高い周波数の局部発振周波数を発振させ、ミキサが入力された受信周波信号と局部発振周波数を使って、不要波周波数より低い周波数の中間信号波として周波数変換する無線受信回路が得られる。
【００５０】
さらに本発明における発振周波数制御回路は、帯域通過フィルタと、検波器と、制御回路とから構成され、帯域通過フィルタがその中心通過周波数を受信信号波周波数から干渉波周波数との周波数差分だけ、高い／あるいは低い周波数に偏らせ、検波器が、帯域通過フィルタの出力から干渉波のレベルを検出し、制御回路が受信信号波周波数に対する干渉波周波数が高い／あるいは低いかに従って、局部発振器から受信信号波周波数よりも低い／あるいは高い周波数の局部発振周波数を発振させることができる。
【００５１】
さらに本発明における発振周波数制御回路は、周波数カウンタ回路と、制御回路とから構成され、周波数カウンタ回路が受信信号波周波数と干渉波周波数とをカウントし、２つの周波数の高低を判定し、制御回路が周波数カウンタ回路の判定結果の受信信号波周波数に対する干渉波周波数が高い／あるいは低いかにより、局部発振器から受信信号波周波数よりも低い／あるいは高い周波数の局部発振周波数を発振させることができる。
【００５２】
さらに本発明における局部発振器が、受信信号波周波数（ｆ）に対して受信信号波周波数と干渉波周波数との周波数差分（△ｆ）の２倍低い／あるいは高い周波数の局部発振周波数（ｆ−２△ｆ又はｆ＋２△ｆ）を発振することができる。
【００５３】
本発明によれば、受信した受信信号の一部を取り出し、受信信号波周波数と干渉波周波数との周波数の高低を比較し、受信信号波周波数に対する干渉波周波数の高低により受信信号波周波数よりも低い又は高い周波数の局部発振周波数を発生させ、受信信号と局部発振周波数を使って周波数変換し、不要波周波数より低い周波数の中間信号波として周波数変換する無線受信方法が得られる。
【００５４】
さらに本発明の無線受信方法における局部発振周波数を、受信信号波の周波数（ｆ）に対して受信信号波と干渉波との周波数差分（△ｆ）の２倍低い／あるいは高い周波数（ｆ−２△ｆ又はｆ＋２△ｆ）とすることができる。
【００５５】
以上、実施形態例を参照して本願発明を説明したが、本願発明は上記の実施形態例に限定されるものではない。本願発明の構成や詳細には、本願発明のスコープ内で当業者が理解し得る様々な変更をすることができる。
【図面の簡単な説明】
【００５６】
【図１】本発明の実施例１における無線受信回路の構成図である。
【図２】本発明の実施例１における無線受信回路のレベルダイヤを表わした図である。
【図３】本発明の無線受信回路のＢＰＦ回路例である。
【図４】図３のＢＰＦ回路例の特性図である。
【図５】本発明の無線受信回路のＤＥＴの特性図である。
【図６】本発明の実施例２における無線受信回路の構成図である。
【図７】関連技術としての第１の無線受信回路の構成図である。
【図８】関連技術としての第２の無線受信回路の構成図である。
【符号の説明】
【００５７】
１    ＲＦＢＰＦ
２、６    ＬＮＡ
３、７    ＡＴＴ
４、９    ミキサ
５、１０    ＶＣＯ
８、１１、１３、１４    ＢＰＦ
１５    ＤＥＴ
１６    ＣＯＮ回路
１７    周波数カウンタ回路
１８    局部発振周波数制御回路
ＲＸＲＦ    受信信号
ＲＸ１ｓｔＩＦ    一次中間周波信号
ＲＸ２ｎｄＩＦ    二次中間周波信号
【図１】
2010103594.tif 000003
【図２】
2010103594.tif 000004
【図３】
2010103594.tif 000005
【図４】
2010103594.tif 000006
【図５】
2010103594.tif 000007
【図６】
2010103594.tif 000008
【図７】
2010103594.tif 000009
【図８】
2010103594.tif 000010